(57)【要約】【課題】構成を複雑化することなく、一対のコネクタハウジングが正規の嵌合姿勢から傾いて嵌合されてしまうことを抑止可能なレバー式コネクタを提供する。【解決手段】レバー式コネクタ１は、カムフォロア６５を備える雄ハウジング６０と、雄ハウジング６０と嵌合される雌ハウジング１０と、カム溝５３を有するカム板５１を備えるレバー５０とを備え、レバ５０ーが、回動操作部５６と初期位置用ロックアーム５４を備え、雌ハウジング１０が、初期位置用ロックアーム５４と係合する係合アーム４１を備え、雄ハウジング６０が、レバー５０に向かって突出し、雌ハウジング１０との嵌合開始時において初期位置用ロックアーム５４を撓ませて係合アーム４１との係合を解除する解除突起６６を備え、レバー５０が、嵌合位置に回動された際に解除突起６６に対して雄ハウジング６０の雌ハウジング１０に対する嵌合方向後方から当接する傾き補正片５９を備える。【選択図】図１５
2016018636.tif 000002
【特許請求の範囲】
【請求項１】
カムフォロアを備える第１ハウジングと、
前記第１ハウジングと嵌合される第２ハウジングと、
前記第２ハウジングに配置される部材であって、前記カムフォロアを受け入れるカム溝を有するカム板を備え、前記カム溝への前記カムフォロアの進入を許容する初期位置から嵌合位置まで前記カム板を回動させるのに伴って前記カム溝と前記カムフォロアとのカム作用によって前記第１ハウジングと前記第２ハウジングとを互いに引き寄せて正規嵌合状態に至らせるレバーとを備えるレバー式コネクタであって、
前記レバーが、前記カム板を前記初期位置から前記嵌合位置まで回動操作するための回動操作部と、前記回動操作部に対して前記カム板の回動中心を挟んで反対側に配置され、前記カム板に対して近接または離間する方向に撓み変形する弾性撓み部とを備え、
前記第２ハウジングが、前記レバーが初期位置にあるときに前記弾性撓み部と係合する係合部を備え、
前記第１ハウジングが、前記レバーに向かって突出し、前記第２ハウジングとの嵌合開始時において前記弾性撓み部を撓ませて前記係合部との係合を解除する解除部を備え、
前記レバーが、前記カム板が前記初期位置から前記嵌合位置に回動された際に前記解除部に対して前記第１ハウジングの前記第２ハウジングに対する嵌合方向後方から当接する傾き補正部を備える、レバー式コネクタ。
【請求項２】
前記係合部が、前記第１ハウジングと前記第２ハウジングとが非嵌合状態のときには前記弾性撓み部と干渉する位置にあり、前記第１ハウジングと前記第２ハウジングとの嵌合が開始された状態では、前記解除部によって撓まされることにより前記弾性撓み部と非干渉の位置に変位する撓み干渉部である、請求項１に記載のレバー式コネクタ。
【発明の詳細な説明】
【技術分野】
【０００１】
本明細書によって開示される技術は、レバー式コネクタに関する。
【背景技術】
【０００２】
レバー式コネクタは、互いに嵌合可能な一対のコネクタハウジングと、一対のコネクタハウジングのうち一方のコネクタハウジングに備えられ、カム板を備えるレバーとを有する。カム板は、他方のコネクタハウジングのカムフォロアに係合するカム溝を有している。両コネクタハウジングを互いに嵌合させる際には、初期位置から嵌合位置までレバーを回動させることに伴うカム溝とカムフォロア間のカム作用によって、双方のコネクタハウジングの嵌合を少ない力で容易に行うことができる。このようなコネクタとして、特開２００３−２４９３０４号公報に開示されたものが知られている。
【０００３】
上記文献のコネクタは、レバーが初期位置にあるときに、嵌合位置への意図しない回動を規制するための機構を有している。この機構は、レバーに設けられた弾性係止片と、一方のコネクタハウジングに設けられたロック用受け部とで構成されている。レバーが初期位置にあるときには、弾性係止片がロック用受け部に係止されることで、レバーの意図しない回動が規制される。両コネクタハウジングが浅く嵌合されると、他方のコネクタハウジングに設けられたロック解除リブが弾性係止片を撓ませることにより、弾性係止片のロック用受け部への係合が解除され、レバーが嵌合位置への回動を許容された状態となる。
【先行技術文献】
【特許文献】
【０００４】
【特許文献１】特開２００３−２４９３０４号公報
【発明の概要】
【発明が解決しようとする課題】
【０００５】
ところで、上記の構成のレバー式コネクタでは、レバーを回動操作するための操作部に対する押し込み力によって、両コネクタハウジングの幅方向の両端部のうち、操作部に近接する一端部において、一方のコネクタハウジングを他方のコネクタハウジングに向かって押し込む方向の力が強く作用する。これにより、両コネクタハウジングが、正規の嵌合姿勢から傾いてしまう場合がある。
【課題を解決するための手段】
【０００６】
本明細書によって開示される技術は、カムフォロアを備える第１ハウジングと、前記第１ハウジングと嵌合される第２ハウジングと、前記第２ハウジングに配置される部材であって、前記カムフォロアを受け入れるカム溝を有するカム板を備え、前記カム溝への前記カムフォロアの進入を許容する初期位置から嵌合位置まで前記カム板を回動させるのに伴って前記カム溝と前記カムフォロアとのカム作用によって前記第１ハウジングと前記第２ハウジングとを互いに引き寄せて正規嵌合状態に至らせるレバーとを備えるレバー式コネクタであって、前記レバーが、前記カム板を前記初期位置から前記嵌合位置まで回動操作するための回動操作部と、前記回動操作部に対して前記カム板の回動中心を挟んで反対側に配置され、前記カム板に対して近接または離間する方向に撓み変形する弾性撓み部とを備え、前記第２ハウジングが、前記レバーが初期位置にあるときに前記弾性撓み部と係合する係合部を備え、前記第１ハウジングが、前記レバーに向かって突出し、前記第２ハウジングとの嵌合開始時において前記弾性撓み部を撓ませて前記係合部との係合を解除する解除部を備え、前記レバーが、前記カム板が前記初期位置から前記嵌合位置に回動された際に前記解除部に対して前記第１ハウジングの前記第２ハウジングに対する嵌合方向後方から当接する傾き補正部を備える。
【０００７】
上記の構成によれば、レバーにおいて回動操作部に対してカム板の回動中心を挟んで反対側、つまり、押し込み力が強く作用する側とは反対側に、弾性撓み部が配置され、この弾性撓み部と係合する係合部、および、弾性撓み部と係合部との係合を解除する解除部も、回動操作部に対してカム板の回動中心を挟んで反対側に配置されることとなる。そして、カム板が初期位置から嵌合位置に回動された際に（つまり、第１ハウジングと第２ハウジングとの嵌合の過程において）、傾き補正部が解除部に対して第１ハウジングの第２ハウジングに対する嵌合方向後方から当接することによって、回動操作部の配置位置とは反対側、つまり、押し込み力が強く作用する側とは反対側において、第１ハウジングに対して第２ハウジングへの嵌合方向前方に向かって押し上げる力が働き、両ハウジングの傾きが矯正される。これにより、両コネクタハウジングが傾いたまま嵌合操作が完了してしまうことが抑止される。
【０００８】
さらに、両ハウジングの傾きを矯正するための機構として、弾性撓み部と係合部との係合を解除する解除部を利用しているから、レバー式コネクタの構成が複雑化することを避けることができる。
【０００９】
本明細書によって開示される技術の態様として、以下の構成が好ましい。
【００１０】
前記係合部が、前記第１ハウジングと前記第２ハウジングとが非嵌合状態のときには前記弾性撓み部と干渉する位置にあり、前記第１ハウジングと前記第２ハウジングとの嵌合が開始された状態では、前記解除部によって撓まされることにより前記弾性撓み部と非干渉の位置に変位する撓み干渉部であってもよい。
【００１１】
ここで、解除部は、第１ハウジングと第２ハウジングとの嵌合開始時において弾性撓み部と係合部との係合を解除した後、嵌合の進行に伴って第２ハウジングの奥方へと進入していくこととなる。したがって、上記文献に示されるように、係合部が撓み変形しないロック用受け部である場合には、ロック用受け部を弾性係止片の下半分にのみ当接するように突出させることで、ロック受け部の上方のスペースを、弾性係止片を撓み変形させた後のロック解除リブ（解除部）が進入するスペースとして確保し、ロック解除リブとロック用受け部との干渉を避けるようにしている。このために、ロック解除リブの突出高さは、ロック用受け部と干渉しない高さ、つまり、弾性係止片の上半分に当接する高さが限度となる。
【００１２】
これに対し、係合部が解除部によって撓まされることにより弾性撓み部と非干渉の位置に変位する撓み干渉部とされた構成では、撓み干渉部が撓まされる分だけ、解除部の通過スペースを大きく確保できるため、解除部の突出高さを大きく確保することができ、ひいては、この解除部と、これと当接する傾き補正部との接触面積を大きく確保することができる。これにより、多極のコネクタ、つまり、両ハウジングを嵌合させるために比較的大きな力を必要とするコネクタであっても、両ハウジングの傾きを確実に矯正することができる。
【発明の効果】
【００１３】
本明細書によって開示される技術によれば、構成を複雑化することなく、一対のコネクタハウジングが正規の嵌合姿勢から傾いて嵌合されてしまうことを抑止可能なレバー式コネクタを提供できる。
【図面の簡単な説明】
【００１４】
【図１】実施形態のレバー式コネクタの平面図
【図２】図１のＡ−Ａ線断面図
【図３】実施形態の雌ハウジングの平面図
【図４】図３のＢ−Ｂ線断面図
【図５】図４のＣ−Ｃ線断面図
【図６】実施形態のレバーの平面図
【図７】実施形態のレバーの側面図
【図８】図２のＤ−Ｄ線断面図
【図９】図８の円Ｒ内の拡大図
【図１０】図８のＥ−Ｅ線断面図
【図１１】実施形態において雄ハウジングと雌ハウジングとの嵌合開始時の状態を示す断面図
【図１２】図１１のＦ−Ｆ線断面図
【図１３】実施形態において雄ハウジングと雌ハウジングとの嵌合途中の状態を示す断面図
【図１４】図１３のＧ−Ｇ線断面図
【図１５】実施形態において雄ハウジングと雌ハウジングとが正規嵌合した状態を示す断面図
【図１６】図１５のＨ−Ｈ線断面図
【発明を実施するための形態】
【００１５】
実施形態を図１〜図１６を参照しつつ説明する。本実施形態のレバー式コネクタ１は、図１に示すように、カムフォロア６５を備える雄ハウジング６０（第１ハウジングに該当）と、この雄ハウジング６０と嵌合可能な雌ハウジング１０（第２ハウジングに該当）と、雌ハウジング１０に組み付けられるレバー５０とを備えている。レバー５０は、カム溝５３を有するカム板５１を備え、カム溝５３へのカムフォロア６５の進入を許容する初期位置から嵌合位置までカム板５１を回動させるのに伴って、カム溝５３とカムフォロア６５とのカム作用によって雄ハウジング６０と雌ハウジング１０とを互いに引き寄せて正規嵌合状態に至らせる部材である。
【００１６】
（雄ハウジング６０）
雄ハウジング６０は、合成樹脂製であって、図１および図２に示すように、端子保持壁６１とフード部６２とを備えている。端子保持壁６１は、全体として矩形の板状の部分である。フード部６２は、端子保持壁６１の外周縁から端子保持壁６１と垂直に突出する角筒状の部分であって、端子保持壁６１とは反対側に開口し、内部に雌ハウジング１０を受け入れ可能となっている。
【００１７】
フード部６２は、端子保持壁６１の４つの辺からそれぞれ連なる４つの壁部を有しており、このうち一の壁部（カムフォロア配置壁６３）の内側面には、カムフォロア６５と解除突起６６（解除部に該当）とが配置されている。カムフォロア６５は、カムフォロア配置壁６３から内向きに突出する円柱状のピンであって、図１に示すように、カムフォロア配置壁６３の壁面のほぼ中央位置に配置されている。解除突起６６は、カムフォロア配置壁６３から内向きに突出する角柱状の突起である。解除突起６６は、図２に示すように、カムフォロア配置壁６３において端子保持壁６１とは反対側の端縁（フード部６２の開口部側の端縁：図２の右側の端縁）に配置され、かつ、図８に示すように、カムフォロア配置壁６３と垂直な２つの側壁６４間の中心よりも一方の側壁（図８の左側の側壁６４）に近接した位置に配されている。
【００１８】
この雄ハウジング６０に装着される雄端子金具６７は、図２に示すように、Ｌ字状に折り曲げられた金属製であり、一方の端部が端子保持壁６１を貫通してフード部６２内に突出している。
【００１９】
（雌ハウジング１０）
雌ハウジング１０は、合成樹脂製であって、全体として直方体のブロック状をなしており、図４に示すように、雌端子金具（図示せず）を収容するための端子収容部２０と、レバー５０を収容するためのレバー収容部３０とを有している。雌ハウジング１０の複数の外面のうち一面は、図３および図４に示すように、雄ハウジング６０との嵌合の際に雄ハウジング６０に対向する嵌合面１１であり、この嵌合面１１と平行な他の面は、端子収容部２０やレバー収容部３０に対して雌端子金具やレバー５０が挿入される挿入面１２である。
【００２０】
端子収容部２０は、全体として直方体のブロック状の部分であって、複数の端子金具収容室（図示せず）を有している。複数の端子金具収容室のそれぞれは、嵌合面１１および挿入面１２に開口し、内部に端子金具を収容するための空間である。
【００２１】
レバー収容部３０は、図４に示すように、端子収容部２０において嵌合面１１および挿入面１２と垂直な一面（レバー配置面３１）に配置され、図５に示す３つの立ち上がり壁部３２、３３、３４と、図４に示す対向壁部３５とを有する。
【００２２】
３つの立ち上がり壁部３２、３３、３４は、図５に示すように、レバー配置面３１において挿入面１２に沿う１辺を除く３辺から、端子収容部２０とは反対側に、レバー配置面に対し垂直に立ち上がる壁部である。３つの立ち上がり壁部３２、３３、３４のうち、レバー配置面３１の嵌合面１１に沿う辺から立ち上がる壁部が第１立ち上がり壁部３２であり、レバー配置面３１の他の２辺から立ち上がる２つの壁部のうち一方（図５の左側）が第２立ち上がり壁部３３であり、他方（図５の右側）が第３立ち上がり壁部３４である。第２立ち上がり壁部３３と第３立ち上がり壁部３４とは、第１立ち上がり壁部３２に対して垂直に配置されている。
【００２３】
対向壁部３５は、各立ち上がり壁部３２、３３、３４の立ち上がり先端部から連なる壁部であり、図４に示すように、レバー配置面３１に対して間隔を空けて、レバー配置面３１と平行に（嵌合面１１および挿入面１２と垂直に）配置されている。対向壁部３５は、雌ハウジング１０が雄ハウジング６０と嵌合される際には、図２に示すように、雄ハウジング６０のカムフォロア配置壁６３に沿って配置される。３つの立ち上がり壁部３２、３３、３４と、対向壁部３５と、レバー配置面３１とで囲まれる空間が、挿入面１２側に開口し、内部にレバー５０を収容するレバー収容室３６となっている。
【００２４】
第１立ち上がり壁部３２及び対向壁部３５には、図３および図５に示すように、雄ハウジング６０に備えられるカムフォロア６５を受け入れるカムフォロア挿通部３８と、雄ハウジング６０に備えられる解除突起６６を受け入れる解除突起挿通部３９とが配置されている。
【００２５】
カムフォロア挿通部３８は、第１立ち上がり壁部３２の外側面から内側面まで貫通する孔と、対向壁部３５の外側面から内側面まで貫通する孔とが繋がった形状である。カムフォロア挿通部３８のうち対向壁部３５に配置されている部分は、図３に示すように、第１立ち上がり壁部３２から挿入面１２に向かって、第１立ち上がり壁部３２と垂直に切り欠かれている。
【００２６】
解除突起挿通部３９は、第１立ち上がり壁部３２の外側面から内側面まで貫通する孔と、対向壁部３５の外側面から内側面まで貫通する孔とが繋がった形状である。解除突起挿通部３９のうち対向壁部３５に配置されている部分は、図３に示すように、第１立ち上がり壁部３２から挿入面１２に向かって、第１立ち上がり壁部３２と垂直に切り欠かれている。
【００２７】
図３および図５に示すように、カムフォロア挿通部３８は、第２立ち上がり壁部３３と第３立ち上がり壁部３４とのほぼ中央位置に配置され、解除突起挿通部３９は、カムフォロア挿通部３８よりも第２立ち上がり壁部３３に近い位置に、カムフォロア挿通部３８と間隔を空けて配置されている。
【００２８】
また、対向壁部３５において、挿入面１２に近い一部分は、図３に示すように、上記したカムフォロア挿通部３８と解除突起挿通部３９とが配置されていない領域となっており、ここには、外側（端子収容部２０と反対側；図４の上側）に突き出す形で部分的に肉厚な肉厚部４３が設けられている。
【００２９】
この肉厚部４３は、図３に示すように、第１操作部受入凹部４４を有している。第１操作部受入凹部４４は、肉厚部４３において、雌ハウジング１０の挿入面１２および第３立ち上がり壁部３４の外面を基準として内側（嵌合面１１側および第２立ち上がり壁部３３側：図３の上側および左側）に凹む凹部であって、第３立ち上がり壁部３４から連なり、挿入面１２と平行に、挿入面１２よりも第１立ち上がり壁部３２に近接して（図３の上方に）配置される第１回動規制壁４４Ａと、第１回動規制壁４４Ａにおける第２立ち上がり壁部３３に近い端部から、第２立ち上がり壁部３３に近づくほど挿入面１２に向かって傾く第１テーパ壁４４Ｂとで定義される凹部である。
【００３０】
対向壁部３５の内側面（レバー配置面３１と対向する面）には、図４に示すように、レバー５０を嵌合位置に係止する嵌合位置用ロック部４２が、レバー配置面３１に向かって突出する形で設けられている。
【００３１】
レバー配置面３１には、図４に示すように、レバー５０を回動可能に軸支するための円柱形の軸部３７が、対向壁部３５に向かって突出する形で設けられている。
【００３２】
また、レバー配置面３１には、図５に示すように、撓み溝４０と第２操作部受入凹部４５とが配置されており、撓み溝４０の内部には、レバー５０を初期位置にロックするための係合アーム４１（係合部、撓み干渉部に該当）が配置されている。
【００３３】
撓み溝４０は、レバー配置面３１を基準として内側（端子収容部２０側；図４の下側）に凹む溝であり、図５に示すように、解除突起挿通部３９において第１立ち上がり壁部３２に配置されている部分から連なり、挿入面１２に向かって第１立ち上がり壁部３２に対して垂直に延びている。撓み溝４０の溝底面４０Ｂは、図４に示すように、レバー配置面３１と平行となっている。
【００３４】
係合アーム４１は、図４および図５に示すように、撓み溝４０の延出端４０Ａ（第１立ち上がり壁部３２と反対側の端部；図５の下側の端部）から第１立ち上がり壁部３２に向かって、第２立ち上がり壁部３３および第３立ち上がり壁部３４と平行に延びる、片持ちのばね片である。係合アーム４１は、図４に示すように、撓み溝４０の溝底面４０Ｂに対して間隔を空けて配置され、延出端４０Ａに接続している部分（基端部４１Ａ）を支点として、撓み溝４０の溝底面４０Ｂに対して近接または離間する方向に撓み可能となっている。
【００３５】
係合アーム４１の自由端部４１Ｂ（基端部４１Ａとは反対側の端部）は、図４に示すように、レバー配置面３１から対向壁部３５側に突出しており、この自由端部４１Ｂには、図４および図９に示すように、乗り上げ面４１Ｃと係止面４１Ｄとが配置されている。乗り上げ面４１Ｃは、自由端部４１Ｂにおいて第２立ち上がり壁部３３に近い部分（図９の左側の部分）に形成され、図４に示すように、第１立ち上がり壁部３２に近づくほど溝底面４０Ｂに向かって下る傾斜面である。係止面４１Ｄは、自由端部４１Ｂにおいて乗り上げ面４１Ｃが配置されている部分よりも第３立ち上がり壁部３４に近い部分（図９の右側の部分）を切り欠くことによって形成された、溝底面４０Ｂおよびレバー配置面３１に垂直な面である。
【００３６】
第２操作部受入凹部４５は、レバー配置面３１を基準として端子収容部２０に向かって（図４の下方に）凹む凹部であって、挿入面１２から連なり、レバー配置面３１と平行に、レバー配置面３１よりも端子収容部２０に近接して配置された底面４５Ｃと、底面４５Ｃから連なり、挿入面１２と平行に、挿入面１２よりも嵌合面１１に近接して（図５の上方に）配置された第２回動規制壁４５Ａと、第２回動規制壁４５Ａにおける第２立ち上がり壁部３３に近い端部から、第２立ち上がり壁部３３に近づくほど挿入面１２に向かって傾く第２テーパ壁４５Ｂとで定義される凹部である。
【００３７】
（レバー５０）
レバー５０は、合成樹脂製であって、カム溝５３を有するカム板５１を備えている。
【００３８】
カム板５１は、図６に示すように、全体として角部が丸められた長方形の板状の部分であって、図２および図８に示すように、レバー収容室３６の内部において、係合アーム４１と第３立ち上がり壁部３４との間に、レバー配置面３１および対向壁部３５に並行に配置される。カム板５１は、内部に雌ハウジング１０の軸部３７を受け入れる軸受け孔部５２と、内部にカムフォロア６５を受け入れるカム溝５３とを有している。
【００３９】
軸受け孔部５２は、カム板５１のレバー配置面３１と対向する板面を基準として内側に凹む円形の孔部であって、図６に示すように、カム板５１のほぼ中央位置に配されている。カム板５１は、軸部３７が軸受け孔部５２に嵌合されることで、初期位置（図８に示す位置）と嵌合位置（図１５に示す位置）との間で回動可能に軸支される。レバー５０は、嵌合位置にあるときには、図１５に示すように、３辺が３つの立ち上がり壁部３２、３３、３４に対して概ね平行となる向きで配置され、初期位置にあるときには、図８に示すように、３辺が３つの立ち上がり壁部３２、３３、３４に対して傾いて配置されている。レバー５０が嵌合位置にあるときに、ハウジング１０において挿入面１２と第３立ち上がり壁部３４との間の角部（図１５の右下の角部）に近接して配置されていたレバー５０の一の角部（図１５の右下の角部）は、レバー５０が初期位置にあるときには、ハウジング１０の挿入面１２よりも外側に突出している（図８参照）。
【００４０】
カム溝５３は、カム板５１の周縁から内側に向かって延びる溝である。カム溝５３は、カム板５１において、嵌合位置に配置されたときに係合アーム４１に近接して配置される端縁５１Ａ（図６の左側の端縁：図１５を併せて参照）と第１立ち上がり壁部３２に沿って配置される端縁５１Ｂ（図６の上側の端縁：図１５を併せて参照）との角部５１Ｃに近接して配置されている。カム溝５３は、入り口部５３Ａが端縁５１Ａ側に開口しており、奥端部５３Ｂに向かうにつれて次第にカム板５１の回動中心である軸受け孔部５２に接近するような略弧状をなしている。
【００４１】
カム板５１には、初期位置用ロックアーム５４（弾性撓み部に該当）と、嵌合位置用ロックアーム５５と、傾き補正片５９（傾き補正部に該当）とが設けられている。初期位置用ロックアーム５４は、カム板５１を初期位置に保持するための部分である。嵌合位置用ロックアーム５５は、嵌合位置用ロック部４２に係止してカム板５１を嵌合位置に保持するための部分である。傾き補正片５９は、カム板５１が嵌合位置まで回動された際に解除突起６６に当接して雄ハウジング６０と雌ハウジング１０との傾きを矯正するための部分である。
【００４２】
初期位置用ロックアーム５４は、図６に示すように、一方の端部（基端部５４Ａ）がカム板５１に接続され、他方の端部が自由端部５４Ｂとされた片持ちのアームである。初期位置用ロックアーム５４は、端縁５１Ａに沿って配されており、基端部５４Ａがカム溝５３の入り口部５３Ａの近くに接続し、挿入面１２に向かって、つまりカム板５１の初期位置から嵌合位置への回動方向前方（図８の矢印Ａ１で示す方向）に向かって延びている。初期位置用ロックアーム５４は、カム板５１に対して間隔をあけて配置されており、基端部５４Ａを支点としてカム板５１の端縁に近接または離間する方向に、つまり、カム板５１の厚さ方向と交差方向（図６の左右方向）に弾性的に撓むことが可能となっている。カム板５１が嵌合位置に配された状態では、図１５に示すように、初期位置用ロックアーム５４は、係合アーム４１と平行となるように並んで配置される。
【００４３】
嵌合位置用ロックアーム５５は、カム板５１において嵌合位置に配置された状態で挿入面１２に沿って配置される端縁（図６の下側の端縁；図１５を併せて参照）から内側に向かって延びる２本のスリットＳを、互いに平行に、かつ間隔を空けて配置することにより、一対のスリットＳの間の部分を、カム板５１の板面と直交する方向に弾性的に撓み可能としたものである。嵌合位置用ロックアーム５５は、カム板５１が初期位置に配された状態では、ほぼ全体がレバー収容部３０の外部に露出しており（図１参照）、カム板５１が嵌合位置に配された状態では雄ハウジング６０との嵌合方向（嵌合面１１から挿入面１２に向かう方向）に沿って真っ直ぐに延在する。嵌合位置用ロックアーム５５は、その自由端部がロック解除操作を行うことが可能な解除操作部５５Ｂとされるとともに、カム板５１が嵌合位置にあるときに対向壁部３５と対向する面に、嵌合位置用ロック部４２に係止する係止突起５５Ａを有している。
【００４４】
傾き補正片５９は、図６に示すように、初期位置用ロックアーム５４の基端部５４Ａ（初期位置用ロックアーム５４において、カム板５１の回動方向後端部）から連なり、基端部５４Ａに対してカム板５１と反対側に配置された板片である。傾き補正片５９においてレバー配置面３１との対向面５９Ａは、図７および図１６に示すように、初期位置用ロックアーム５４の自由端部５４Ｂに近づくほどレバー配置面３１に向かって下る傾斜面とされている。
【００４５】
レバー５０は、回動操作部５６を有している。回動操作部５６は、カム板５１を初期位置と嵌合位置との間で回動させる際に、作業者が指を掛けて回動操作を行うための部分である。回動操作部５６は、カム板５１において嵌合位置に配置された状態で挿入面１２に沿って配置される端縁（図６の下側の端縁；図１５を併せて参照）において、第３立ち上がり壁部３４に近い位置（図６の右端位置；図１５を併せて参照）に、嵌合位置用ロックアーム５５を囲んで配置されている。言い換えれば、回動操作部５６は、カム板５１において、回動中心である軸受け孔部５２を挟んで、カム溝５３が配置され、初期位置用ロックアーム５４と傾き補正片５９とが接続している領域とは反対側に配置されている。
【００４６】
回動操作部５６は、図６に示すように、一対の柱部５７Ａ、５７Ｂと、一対の架橋部分５８Ａ、５８Ｂとを有している。一対の柱部５７Ａ、５７Ｂは、カム板５１において嵌合位置用ロックアーム５５を挟んだ両側部分にそれぞれ１つずつが配置されている。各柱部５７Ａ、５７Ｂは、カム板５１の表裏両面からそれぞれ板面方向に対して垂直に（つまり、レバー５０が雌ハウジング１０に装着された状態でレバー配置面３１の方を向く側と、対向壁部３５の方を向く側に）突出する柱状の部分である。１対の架橋部分５８Ａ、５８Ｂのうち一方の架橋部分５８Ａは、２つの柱部５７Ａ、５７Ｂのレバー配置面３１側の端縁同士を架橋し、他方の架橋部分５８Ｂは、２つの柱部５７Ａ、５７Ｂの対向壁部３５側の端縁同士を架橋している。一対の柱部５７Ａ、５７Ｂと一対の架橋部分５８Ａ、５８Ｂとが、嵌合位置用ロックアーム５５を取り囲む形で環状をなしている。一対の架橋部分５８Ａ、５８Ｂのそれぞれは、嵌合位置用ロックアーム５５に対して間隔を空けて配置されており、嵌合位置用ロックアーム５５と一対の架橋部分５８Ａ、５８Ｂのそれぞれとの間に、嵌合位置用ロックアーム５５の撓みを許容する空間が確保されるようになっている。
【００４７】
図７に示すように、初期位置用ロックアーム５４の厚さ（カム板５１の表裏両面と平行な両面間の距離）は、カム板５１の厚さ（表裏両面間の距離）と等しい。また、傾き規制片５９は、最も厚い部分（初期位置用ロックアーム５４の自由端部５４Ｂに近接する端部；図７の右端部）の厚さがカム板５１の厚さと等しい。さらに、雄ハウジング６０の解除突起６６は、図２に示すように、雌ハウジング１０と嵌合されたときに、その突出端側の端面６６Ａ（図２の下側の端面）が、カム板５１においてレバー配置面３１と対向する板面と面一となっている。
【００４８】
（作用）
本実施形態のレバー式コネクタ１は以上のような構造であり、続いてその作用を説明する。
【００４９】
雌ハウジング１０と雄ハウジング６０とを嵌合する作業を行う際には、嵌合作業に先立って、嵌合位置用ロック部４２に対する嵌合位置用ロックアーム５５の係止状態を解除し、レバー５０を嵌合位置から初期位置（図８参照）へと回動させておく。
【００５０】
レバー５０が初期位置に配された状態では、初期位置用ロックアーム５４は、図８に示すように、基端部５４Ａが嵌合面１１に近接し、自由端部５４Ｂが挿入面１２に近接して配されるとともに、基端部５４Ａから自由端部５４Ｂに向かうにつれて係合アーム４１に近づくように斜めに配置され、自由端部５４Ｂが係止面４１Ｄに係止される。また、回動操作部５６の２つの柱部５７Ａ、５７Ｂのうち一方（第２立ち上がり壁部３３に近い側）の柱部５７Ａが第１回動規制壁４４Ａおよび第２回動規制壁４５Ａに当接する。これらにより、レバー５０が初期位置から回動方向について正逆いずれの向き（嵌合位置への回動方向、およびその反対方向）にも回動不能な状態に保持される。またカム溝５３は、入り口部５３Ａがレバー収容部３０のカムフォロア挿通部３８内に配されるとともに嵌合面１１に向けて開口しており、内部へのカムフォロア６５の進入が許容された状態となっている。
【００５１】
この状態から、雌ハウジング１０をフード部６２の内部に挿入する。雌ハウジング１０がフード部６２に所定深さまで挿入されると、図８に示すように、カムフォロア６５がカムフォロア挿通部３８内に進入する。また、図１０に示すように、解除突起６６が解除突起挿通部３９に進入して係合アーム４１の乗り上げ面４１Ｃに当接する。この状態から雌ハウジング１０を雄ハウジング６０に向かって僅かに押し込む（嵌合開始）と、図１１に示すように、解除突起６６によって初期位置用ロックアーム５４が押されてカム板５１に近接する方向に撓まされるとともに、図１２に示すように、解除突起６６が乗り上げ面４１Ｃに乗り上げることによって係合アーム４１が溝底面４０Ｂに近接する方向に、初期位置用ロックアーム５４に対して非干渉となる位置まで撓まされる。これにより、初期位置用ロックアーム５４と係合アーム４１との係止状態が解除され、カム板５１の初期位置から嵌合位置への回動が許容される。この係止解除時には、図１１に示すように、カムフォロア６５が、カム溝５３における入り口部５３Ａ内に進入している。
【００５２】
回動操作部５６を操作してカム板５１を初期位置から嵌合位置に向かって回動させると、図１３に示すように、カムフォロア６５がカム溝５３の周縁に沿って入り口部５３Ａから奥端部５３Ｂ側へと移動することで、雌ハウジング１０が雄ハウジング６０側へ相対的に引き込まれて嵌合が進行する。また、解除突起６６が係合アーム４１を撓ませつつ通過していく。
【００５３】
このとき、回動操作部５６が嵌合位置に近づくに伴い、回動操作部５６に対する押し込み力（図１３に矢印Ａ２で示す方向に働く力）が第３立ち上がり壁部３４に近い側（図１３の右側）に偏って作用し、第３立ち上がり壁部３４に近い側では雌ハウジング１０が雄ハウジング６０内に深く進入する。逆に、その反対側（第２立ち上がり壁部３３に近い側；図１３の左側）では、カム溝５３とカムフォロア６５とのカム作用によって、雌ハウジング１０に対して雄ハウジング６０から離れる方向に引っ張り力（図１３に矢印Ａ３で示す方向に働く力）が作用するために、雄ハウジング６０に対する雌ハウジング１０の進入が妨げられる。このために、雌ハウジング１０が雄ハウジング６０に対して斜めに傾いてしまう場合がある。
【００５４】
カム板５１が嵌合位置付近まで回動されると、雌ハウジング１０に設けられた嵌合位置用ロック部４２が係止突起５５Ａに乗り上げることにより、嵌合位置用ロックアーム５５が撓み変形する。
【００５５】
カム板５１が嵌合位置に達し、雌ハウジング１０が雄ハウジング６０に対して正規の嵌合深さに達すると、嵌合位置用ロックアーム５５が弾性復帰し、係止突起５５Ａが嵌合位置用ロック部４２に対して係止される。また、回動操作部５６の２つの架橋部分５８Ａ、５８Ｂがそれぞれ第１回動規制壁４４Ａ、第２回動規制壁４５Ａに当接される（図１５参照）。これらにより、レバー５０が嵌合位置から回動方向について正逆いずれの向きにも回動不能な状態に保持される。
【００５６】
また、図１５および図１６に示すように、傾き補正片５９が係合アーム４１を撓ませつつ乗り上げて、解除突起６６に対して端子保持壁６１側から、つまり、雄ハウジング６０の雌ハウジング１０に対する嵌合方向後方（図１５の上方）から当接する。これにより、雌ハウジング１０が雄ハウジング６０に対して斜め姿勢を取っていた場合、傾き補正片５９によって解除突起６６が雄ハウジング６０の雌ハウジング１０に対する嵌合方向前方（図１５の下方）へ押されることにより、相対的に雌ハウジング１０の第２立ち上がり壁部３３に近い部分（図１５の左側部分）における雄ハウジング６０への進入が進行して傾きが矯正される。
【００５７】
なお、傾き補正片５９においてレバー配置面３１との対向面５９Ａが傾斜面とされていることによって、傾き補正片５９が乗り上げ面４１Ｃを通過したのちに、係合アーム４１が弾性復帰するためのスペースが確保されている（図１６参照）。
【００５８】
以上のように本実施形態によれば、レバー５０において回動操作部５６に対してカム板５１の回動中心を挟んで反対側、つまり、押し込み力が強く作用する側とは反対側（引っ張り力が作用する側）に、初期位置用ロックアーム５４が配置され、この初期位置用ロックアーム５４と係合する係合アーム４１、および、初期位置用ロックアーム５４と係合アーム４１との係合を解除する解除突起６６も、回動操作部５６に対してカム板５１の回動中心を挟んで反対側に配置されることとなる。そして、カム板５１が初期位置から嵌合位置に回動された際に（つまり、雌ハウジング１０と雄ハウジング６０との嵌合の過程において）、傾き補正片５９が解除突起６６に対して雄ハウジング６０の雌ハウジング１０に対する嵌合方向後方から当接することによって、回動操作部５６が配置された側とは反対側、つまり、雄ハウジング６０に対する雌ハウジング１０の進入が十分に進行していない側において、雄ハウジング６０に対して雌ハウジング１０への嵌合方向前方に向かって押し上げる力が働き、雄ハウジング６０と雌ハウジング１０との傾きが矯正される。これにより、雄ハウジング６０と雌ハウジング１０とが傾いたまま嵌合操作が完了してしまうことが抑止される。
【００５９】
さらに、雄ハウジング６０と雌ハウジング１０との傾きを矯正するための機構として、解除突起６６を利用しているから、レバー式コネクタ１の構成が複雑化することを避けることができる。
【００６０】
さらに、初期位置用ロックアーム５４と係合する係合部が、解除突起６６によって撓まされることにより初期位置用ロックアーム５４と非干渉の位置に変位する係合アーム４１とされている。このような構成によれば、係合アーム４１が撓まされる分だけ、解除突起６６の通過スペースを大きく確保できるため、解除突起６６の突出高さを大きく確保することができ、ひいては、この解除突起６６と、これと当接する傾き補正片５９との接触面積を大きく確保することができる。これにより、多極のコネクタ、つまり、雄ハウジング６０と雌ハウジング１０とを嵌合させるために比較的大きな力を必要とするコネクタであっても、雄ハウジング６０と雌ハウジング１０との傾きを確実に矯正することができる。
【００６１】
＜他の実施形態＞
本明細書によって開示される技術は上記記述及び図面によって説明した実施形態に限定されるものではなく、例えば次のような実施形態も本明細書によって開示される技術の技術的範囲に含まれる。
（１）上記実施形態では、傾き補正片５９においてレバー配置面３１との対向面５９Ａが傾斜面とされていたが、対向面が傾斜面とはされておらず、傾き補正片５９が乗り上げ面４１Ｃを通過したのちに、係合アーム４１が傾き補正片５９に押されて撓んだままとされていても構わない。
【００６２】
（２）上記実施形態では、初期位置用ロックアーム５４と係合する係合部が、解除突起６６によって撓まされることにより初期位置用ロックアーム５４と非干渉の位置に変位する係合アーム４１であったが、係合部が撓み変形しないロック用突起であっても構わない。
【符号の説明】
【００６３】
１…レバー式コネクタ
１０…雌ハウジング（第２ハウジング）
４１…係合アーム（係合部、撓み干渉部）
５０…レバー
５１…カム板
５３…カム溝
５４…初期位置用ロックアーム（弾性撓み部）
５６…回動操作部
５９…傾き補正片（傾き補正部）
６０…雄ハウジング（第１ハウジング）
６５…カムフォロア
６６…解除突起（解除部）
【図１】
2016018636.tif 000003
【図２】
2016018636.tif 000004
【図３】
2016018636.tif 000005
【図４】
2016018636.tif 000006
【図５】
2016018636.tif 000007
【図６】
2016018636.tif 000008
【図７】
2016018636.tif 000009
【図８】
2016018636.tif 000010
【図９】
2016018636.tif 000011
【図１０】
2016018636.tif 000012
【図１１】
2016018636.tif 000013
【図１２】
2016018636.tif 000014
【図１３】
2016018636.tif 000015
【図１４】
2016018636.tif 000016
【図１５】
2016018636.tif 000017
【図１６】
2016018636.tif 000018